(57)【要約】【課題】  部品を追加することなく、フォーカス制御されるレンズホルダーの傾きを、ディスクの傾斜姿勢にできるだけ合わせてコマ収差の発生を抑制する。【解決手段】  レンズホルダー１と、レンズホルダー１をフォーカス方向に変位させるためのフォーカス制御手段３とを有する。フォーカス制御手段３が、フォーカスコイル４と、外周側マグネット５及び内周側マグネット６と、一対のヨーク７，７と、を備える。フォーカスコイル４に対する外周側マグネット５及び内周側マグネット６の各対向間隔Ｍ１，Ｍ２を異ならせることによって、フォーカス方向の力を、レンズホルダー１の内周側端部１ａよりも外周側端部１ｂで強くなるようにする。【選択図】        図１
2008282441.tif 000002
【特許請求の範囲】
【請求項１】
ディスクの記録面に対向される対物レンズが装備されたレンズホルダーと、このレンズホルダーをフォーカス方向に変位させるためのフォーカス制御手段とを有し、フォーカス制御手段が、レンズホルダーに装備されたフォーカスコイルと、上記ディスクの径方向で上記レンズホルダーを挟む両側に配備される外周側マグネット及び内周側マグネットと、上記ディスクの径方向に対して直交する方向で上記対物レンズを挟む両側に位置して上記フォーカスコイルによる囲繞空間に配備された一対のヨークと、を備え、
上記フォーカスコイルに対する上記外周側マグネットの対向間隔を、上記フォーカスコイルに対する上記内周側マグネットの対向間隔よりも狭くすることによって、上記レンズホルダーに働くフォーカス方向の力が、そのレンズホルダーにおける内周側端部よりも外周側端部で強くなるようにしてあることを特徴とする光ピックアップのチルト補正機構。
【請求項２】
ディスクの記録面に対向される対物レンズが装備されたレンズホルダーと、このレンズホルダーをフォーカス方向に変位させるためのフォーカス制御手段とを有し、フォーカス制御手段が、レンズホルダーに装備されたフォーカスコイルと、上記ディスクの径方向で上記レンズホルダーを挟む両側に配備される外周側マグネット及び内周側マグネットと、上記ディスクの径方向に対して直交する方向で上記対物レンズを挟む両側に位置して上記フォーカスコイルによる囲繞空間に配備された一対のヨークと、を備え、
上記一対のヨークとフォーカスコイルにおける上記ディスクの径方向外周側に位置する巻線との対向間隔を、上記一対のヨークとフォーカスコイルにおける上記ディスクの径方向内周側に位置する巻線との対向間隔よりも狭くすることによって、上記レンズホルダーに働くフォーカス方向の力が、そのレンズホルダーにおける内周側端部よりも外周側端部で強くなるようにしてあることを特徴とする光ピックアップのチルト補正機構。
【請求項３】
ディスクの記録面に対向される対物レンズが装備されたレンズホルダーと、このレンズホルダーをフォーカス方向に変位させるためのフォーカス制御手段とを有し、フォーカス制御手段が、レンズホルダーに装備されたフォーカスコイルと、上記ディスクの径方向で上記レンズホルダーを挟む両側に配備される外周側マグネット及び内周側マグネットと、上記ディスクの径方向に対して直交する方向で上記対物レンズを挟む両側に位置して上記フォーカスコイルによる囲繞空間に配備された一対のヨークと、を備え、
上記フォーカスコイルに対する上記外周側マグネットの対向間隔を、上記フォーカスコイルに対する上記内周側マグネットの対向間隔よりも狭くすると共に、上記一対のヨークとフォーカスコイルにおける上記ディスクの径方向外周側に位置する巻線との対向間隔を、上記一対のヨークとフォーカスコイルにおける上記ディスクの径方向内周側に位置する巻線との対向間隔よりも狭くすることによって、上記レンズホルダーに働くフォーカス方向の力が、そのレンズホルダーにおける内周側端部よりも外周側端部で強くなるようにしてあることを特徴とする光ピックアップのチルト補正機構。
【発明の詳細な説明】
【技術分野】
【０００１】
本発明は、光ピックアップのチルト補正機構、特に、対物レンズが装備されているレンズホルダーをフォーカス方向に変位させるためのフォーカス制御手段を備える光ピックアップのチルト補正機構に関する。
【背景技術】
【０００２】
図７に光ピックアップの基本構成を示してある。同図の光ピックアップは、記録媒体としてのディスク（不図示）の記録面に対向される対物レンズ２が装備されたレンズホルダー１と、このレンズホルダー１をフォーカス方向に変位させるためのフォーカス制御手段３とを有している。そして、フォーカス制御手段３が、レンズホルダー１に装備されたフォーカスコイル４と、上記ディスクの径方向（ディスク径方向）Ｄでレンズホルダー１を挟む両側に配備される外周側マグネット５及び内周側マグネット６と、ディスク径方向Ｒに対して直交する方向で対物レンズ２を挟む両側に位置してフォーカスコイル４による囲繞空間Ｓに配備された一対のヨーク７，７とを備えている。なお、８はトラッキングコイルを示している。
【０００３】
上記構成を備える光ピックアップに対しては、一般にフォーカス制御とトラッキング制御とが行われる。そして、ディスクがその回転中に面振れを起こしてその記録面が変位するようなときにはフォーカス制御によってレンズホルダー１がディスクの記録面に追従して変位する。
【０００４】
図８に上記光ピックアップについてのフォーカス制御を説明的に示してある。同図において、ＬはディスクＤの回転軸線、Ｐは対物レンズ２を通過したディスクＤの記録面に照射される光線の光軸をそれぞれ示している。また、同図において、実線ａは、面振れを生じることなく回転しているときのディスクＤを示し、一点鎖線ｂは、面振れを生じて対物レンズ２の対向箇所で上方に変位したディスクＤを示し、二点鎖線ｃは、面振れを生じて対物レンズ２の対向箇所で下方に変位したディスクＤを示し、矢印ＡはディスクＤの面振れ方向、矢印Ｂはフォーカス制御時のレンズホルダー１の変位方向を示している。
【０００５】
図８で判るように、ディスクＤが面振れを起こしたときには、同図に一点鎖線ｂや二点鎖線ｃで例示したように対物レンズ２の対向箇所でディスクＤが上方又は下方に変位して傾斜姿勢になる。そして、このようにディスクＤが対物レンズ２の対向箇所で変位して傾斜姿勢になっていると、その傾斜角度の大きさによっては、ディスクＤの記録面に対する光軸Ｐの入射角度が直角から大きくずれてコマ収差などが顕著に発生して画像品質などが低下する。
【０００６】
そこで、従来は、回転中に面振れを生じるようなディスクが使用されても、コマ収差などに起因する画像品質の低下などをできるだけ抑制するために上記したフォーカス制御が行われる。すなわち、そのフォーカス制御では、上記したように、ディスクＤがその回転中に面振れを起こしてその記録面が変位するようなときに、フォーカス制御によって、レンズホルダー１を面振れしているディスクＤの記録面に追従させて変位させてディスクＤと対物レンズ２との距離を一定に保ち、ディスクＤの記録面上のスポットがピットを読めるように集光された状態を維持させるようにしていた。
【０００７】
その一方で、従来は、フォーカス制御によって、レンズホルダー１を、面振れしているディスクＤの記録面に追従させて変位させるときには、レンズホルダー１自体をできるだけ傾かないように保つための設計がレンズホルダー１について行われていた。したがって、図８に示したように、ディスクＤが一点鎖線ｂや二点鎖線ｃで示したように面振れしているときに、レンズホルダー１が一点鎖線ｂ’や二点鎖線ｃ’で示したように変位したとしても、レンズホルダー１自体の姿勢は、対物レンズ２の光軸Ｐが、実線ａで示した面振れしていないディスクＤの記録面に対してできるだけ直角になるように保たれていた。実線ａ’は、面振れを生じることなく回転しているディスクＤに対するレンズホルダー１を示している。
【０００８】
他方、光情報ディスクの傾きに合わせて対物レンズを傾けるチルト駆動機構を備えた光ピックアップ装置が従来より知られていた（たとえば、特許文献１参照）。しかし、この特許文献１では、光情報ディスクの傾きに合わせて対物レンズを傾けるチルト駆動機構の具体的構成についての言及がなされていない。
【特許文献１】特開２００５−３５３１５４号公報
【発明の開示】
【発明が解決しようとする課題】
【０００９】
図８を参照して説明したところから判るように、フォーカス制御によってディスクの記録面の変位に追従させてレンズホルダー１を変位させる場合に、レンズホルダー１自体をできるだけ傾かないように保つというチルト調整が行われると、対物レンズ２から照射される光線の光軸ＰのディスクＤの記録面に対する入射角度が直角に維持されなくなって、コマ収差などが発生しやすくなり、画像品質の低下を来たしやすい。
【００１０】
そこで、本願発明者は、回転中のディスクが面振れを起こしているような場合に、フォーカス制御されるレンズホルダーの傾きを、ディスクの傾斜姿勢にできるだけ合わせてコマ収差の発生を抑制することを課題として本発明を完成させるに至った。
【００１１】
すなわち、本発明は、回転中のディスクが面振れを起こしているような場合に、フォーカス制御されるレンズホルダーの傾きを、ディスクの傾斜姿勢にできるだけ合わせることのできる光ピックアップのチルト補正機構を提供することを目的とする。
【００１２】
また、本発明は、図７を参照して説明した光ピックアップの基本構成をそのまま踏襲して、部品を追加することなく上記光ピックアップのチルト補正機構を提供することを目的とする。
【課題を解決するための手段】
【００１３】
本発明では、光ピックアップが、ディスクの記録面に対向される対物レンズが装備されたレンズホルダーと、このレンズホルダーをフォーカス方向に変位させるためのフォーカス制御手段とを有し、フォーカス制御手段が、レンズホルダーに装備されたフォーカスコイルと、上記ディスクの径方向で上記レンズホルダーを挟む両側に配備される外周側マグネット及び内周側マグネットと、上記ディスクの径方向に対して直交する方向で上記対物レンズを挟む両側に位置して上記フォーカスコイルによる囲繞空間に配備された一対のヨークと、を備えるという基本構成を有している。
【００１４】
そして、本発明に係る光ピックアップのチルト補正機構では、上記フォーカスコイルに対する上記外周側マグネットの対向間隔を、上記フォーカスコイルに対する上記内周側マグネットの対向間隔よりも狭くすることによって、上記レンズホルダーに働くフォーカス方向の力が、そのレンズホルダーにおける内周側端部よりも外周側端部で強くなるようにしてある。
【００１５】
また、本発明に係る光ピックアップのチルト補正機構では、上記一対のヨークとフォーカスコイルにおける上記ディスクの径方向外周側に位置する巻線との対向間隔を、上記一対のヨークとフォーカスコイルにおける上記ディスクの径方向内周側に位置する巻線との対向間隔よりも狭くすることによって、上記レンズホルダーに働くフォーカス方向の力が、そのレンズホルダーにおける内周側端部よりも外周側端部で強くなるようにしてある、という構成を採用することも可能である。
【００１６】
さらに、本発明に係る光ピックアップのチルト補正機構では、上記フォーカスコイルに対する上記外周側マグネットの対向間隔を、上記フォーカスコイルに対する上記内周側マグネットの対向間隔よりも狭くすると共に、上記一対のヨークとフォーカスコイルにおける上記ディスクの径方向外周側に位置する巻線との対向間隔を、上記一対のヨークとフォーカスコイルにおける上記ディスクの径方向内周側に位置する巻線との対向間隔よりも狭くすることによって、上記レンズホルダーに働くフォーカス方向の力が、そのレンズホルダーにおける内周側端部よりも外周側端部で強くなるようにしてある、という構成を採用することも可能である。
【００１７】
上記した各構成のチルト補正機構によると、外周側又は内周側のマグネットの位置を変更したり、一対のヨークの位置を変更したりしているだけであって、特別に部品を追加していない。しかも、レンズホルダーにおける内周側端部よりも外周側端部で強くなるようにしてあるために、レンズホルダーがフォーカス制御されたときには、そのレンズホルダーが傾いて、レンズホルダーの姿勢がディスクの面振れに起因する傾きにも追従するようになる。その結果、対物レンズから照射される光線の光軸が、面振れしているディスクの記録面に直角に入射しやすくなって、コマ収差などが発生しにくくなって画像品質の低下も生じにくくなる。
【００１８】
また、特別に部品を追加することなく、図７を参照して説明した光ピックアップの基本構成をそのまま踏襲しているので、部品追加によるコストアップも発生しない。
【発明の効果】
【００１９】
以上のように、本発明によれば、部品を追加することなく、フォーカス制御されるレンズホルダーの傾きを、ディスクの傾斜姿勢にできるだけ合わせてコマ収差の発生を抑制することが可能になる。したがって、ユーザにとっても品質のよい画像を楽しむことができるようになる。
【発明を実施するための最良の形態】
【００２０】
図１は本発明の実施形態に係るチルト補正機構を備えた光ピックアップの平面図である。同図の光ピックアップの構成は、図７を参照して説明した光ピックアップの基本構成をそのまま踏襲している。したがって、同一要素に同一符号を付すことによって各要素の詳細な説明を省略する。
【００２１】
図１の光ピックアップにおいて、図７のそれと異なる点は、フォーカスコイル４に対する外周側マグネット５の対向間隔Ｍ１を、フォーカスコイル４に対する内周側マグネット６の対向間隔Ｍ２よりも狭くすることによって、レンズホルダー１に働くフォーカス方向の力が、そのレンズホルダー１における内周側端部１ａよりも外周側端部１ｂで強くなるようにしてある点だけである。
【００２２】
ここで、上記したフォーカスコイル４に対する外周側マグネット５の対向間隔Ｍ１は、フォーカスコイル４の中央位置と外周側マグネット５の対向面との間隔を意味している。      
【００２３】
図２は本発明の他の実施形態に係るチルト補正機構を備えた光ピックアップの平面図である。同図の光ピックアップの構成も、図７を参照して説明した光ピックアップの基本構成をそのまま踏襲している。したがって、同一要素に同一符号を付すことによって各要素の詳細な説明を省略する。
【００２４】
図２の光ピックアップにおいて、図７のそれと異なる点は、一対のヨーク７，７とフォーカスコイル４におけるディスク（不図示）の径方向外周側に位置する巻線４１との対向間隔を、一対のヨーク７，７とフォーカスコイル４におけるディスク（不図示）の径方向内周側に位置する巻線４２との対向間隔よりも狭くすることによって、上記レンズホルダーに働くフォーカス方向の力が、そのレンズホルダーにおける内周側端部よりも外周側端部で強くなるようにしてある点だけである。そして、この実施形態では、上記した各対向間隔を異ならせる手段として、同図のように、一対のヨーク７，７の位置をフォーカスコイル４の中央位置に対して上記外周側にＭ３だけ偏らせてある。
【００２５】
図３は本発明のさらに他の実施形態に係るチルト補正機構を備えた光ピックアップの平面図である。同図の光ピックアップの構成も、図７を参照して説明した光ピックアップの基本構成をそのまま踏襲している。したがって、同一要素に同一符号を付すことによって各要素の詳細な説明を省略する。
【００２６】
図３のチルト補正機構は、図１及び図２のチルト補正機構の各構成を併せ採用したものに相当している。すなわち、フォーカスコイル４に対する外周側マグネット５の対向間隔Ｍ１を、フォーカスコイル４に対する内周側マグネット６の対向間隔Ｍ２よりも狭くすることによって、レンズホルダー１に働くフォーカス方向の力が、そのレンズホルダー１における内周側端部１ａよりも外周側端部１ｂで強くなるようにしてある。併せて、一対のヨーク７，７の位置をフォーカスコイル４の中央位置に対して上記外周側にＭ３だけ偏らせることによって、一対のヨーク７，７とフォーカスコイル４におけるディスク（不図示）の径方向外周側に位置する巻線４１との対向間隔を、一対のヨーク７，７とフォーカスコイル４におけるディスク（不図示）の径方向内周側に位置する巻線４２との対向間隔よりも狭くすることによって、上記レンズホルダーに働くフォーカス方向の力が、そのレンズホルダーにおける内周側端部よりも外周側端部で強くなるようにしてある。
【００２７】
上記したフォーカスコイル４に対する外周側マグネット５の対向間隔Ｍ１は、フォーカスコイル４の中央位置と外周側マグネット５の対向面との間隔を意味していることについては既述したとおりである。
【００２８】
図１、図２及び図３に示したそれぞれのチルト補正機構によると、外周側又は内周側のマグネット５，５の位置を変更したり、一対のヨーク７，７の位置を変更したりしているだけであって、特別に部品を追加していない。
【００２９】
そして、外周側又は内周側のマグネット５，５の位置を図１又は図３で説明したように変更したり、一対のヨーク７，７の位置を図２又は図３で説明したように変更したりしておくと、外周側又は内周側のマグネット５，５の磁気特性が同一であり、一対のヨーク７，７の磁気特性が同一である場合には、フォーカス制御時にレンズホルダー１に働く力の大きさが、レンズホルダー１における内周側端部ａよりも外周側端部１ｂで強くなる。そのために、レンズホルダー１がフォーカス制御されたときには、そのレンズホルダー１が傾いて、レンズホルダー１の姿勢がディスクの面振れに起因する傾きにも追従するようになる。このことを図４〜図６に示した動作説明図を参照して次に説明する。
【００３０】
図４は回転軸Ｌを有して面振れを起こしていないディスクＤの記録面に対して、レンズホルダー１に装備された対物レンズ２から照射された光線の光軸Ｐが直角に入射している状態を示している。これに対し、図５は、ディスクＤが面振れを起こして対物レンズ２の対向箇所で上方に変位した場合に、フォーカス制御されたレンズホルダー１が上記したチルト補正機構の作用によって傾いている状態を例示している。また、図６は、ディスクＤが面振れを起こして対物レンズ２の対向箇所で下方に変位した場合に、フォーカス制御されたレンズホルダー１が上記したチルト補正機構の作用によって傾いている状態を例示している。
【００３１】
図２によって判るように、ディスクＤが面振れして上方に変位して対物レンズ２との対向箇所で角度θだけ傾斜していても、それに追従してレンズホルダー１も同一方向に傾斜するため、光軸Ｐの入射角度がコマ収差などを生じにくい角度、たとえば直角に維持される。同様に、図３によって判るように、ディスクＤが面振れして下方に変位して対物レンズ２との対向箇所で角度θだけ傾斜していても、それに追従してレンズホルダー１も同一方向に傾斜するため、光軸Ｐの入射角度がコマ収差などを生じにくい角度、たとえば直角に維持される。
【００３２】
図１〜図３を参照して説明した各実施形態において、レンズホルダー１は、その両側にサスペンションワイヤ９，９の先端が連結されていて、フォーカス制御やフォーカス制御時のチルト補正は、このサスペンションワイヤ９，９の撓み変形を介して行われるようになっている。
【図面の簡単な説明】
【００３３】
【図１】本発明の実施形態に係るチルト補正機構を備えた光ピックアップの平面図である。
【図２】本発明の他の実施形態に係るチルト補正機構を備えた光ピックアップの平面図である。
【図３】本発明のさらに他の実施形態に係るチルト補正機構を備えた光ピックアップの平面図である。
【図４】面振れを起こしていないディスクの記録面に対する光軸の入射状態を示した動作説明図である。
【図５】面振れを起こして上方に変位したディスクの記録面に対する光軸の入射状態を示した動作説明図である。
【図６】面振れを起こして下方に変位したディスクの記録面に対する光軸の入射状態を示した動作説明図である。
【図７】光ピックアップの基本構成を示した平面図である。
【図８】図７の光ピックアップについてのフォーカス制御の説明図である。
【符号の説明】
【００３４】
１  レンズホルダー
１ａ  レンズホルダーにおける内周側端部
１ｂ  レンズホルダーにおける外周側端部
２  対物レンズ
３  フォーカス制御手段
４  フォーカスコイル
５  外周側マグネット
６  内周側マグネット
７  ヨーク
４１，４２  フォーカスコイルの巻線
Ｄ  ディスク
Ｍ１  フォーカスコイルに対する外周側マグネットの対向間隔
Ｍ２  フォーカスコイルに対する内周側マグネットの対向間隔
Ｒ  ディスクの径方向
Ｓ  フォーカスコイルの囲繞空間
【図１】
2008282441.tif 000003
【図２】
2008282441.tif 000004
【図３】
2008282441.tif 000005
【図４】
2008282441.tif 000006
【図５】
2008282441.tif 000007
【図６】
2008282441.tif 000008
【図７】
2008282441.tif 000009
【図８】
2008282441.tif 000010